(57)【要約】【課題】ドライバの手間を要することなく、車載されたオーディオ装置から出力される音圧を、ドライバの年齢に応じて適宜最適の条件に補正する音圧補正システムを提供する。【解決手段】カードキーコンピュータ１０２は、カードキー１０１からリクエストを含めた識別番号を受信すると識別番号の認証を行って実行するリクエスト機能に応じて各ＥＣＵに作動指令信号を出力すると共に、カードキー１０１から年齢情報を取得して、オーディオ装置１０３の音圧補正装置１０４に送信する。音圧補正装置１０４は、カードキーコンピュータ１０２から受信した年齢情報に応じて自動的にオーディオから出力される音楽等の音圧を補正して、補正後の音声信号をスピーカ１０５に出力する。【選択図】図１
2010202086.tif 000002
【特許請求の範囲】
【請求項１】
ドライバが所持する携帯機と、車両に搭載され当該携帯機と無線通信を行い車両の機能を制御する携帯機用電子制御部と、車両に搭載されるオーディオ装置の音圧を補正する音圧補正装置とを備える音圧補正システムであって、
前記携帯機は、
ドライバの年齢情報を記録する年齢情報記録手段と、
少なくとも前記携帯機の識別番号及び前記年齢情報記録手段に記録された年齢情報を前記携帯機用電子制御部に送信する送信手段とを備え、
前記音圧補正装置は、
前記携帯機の前記送信手段から年齢情報を受信した前記携帯機用電子制御部からドライバの年齢情報を取得する年齢情報取得手段と、
ドライバの年齢に応じた音圧の補正データを記憶する補正データ記憶手段と、
前記年齢情報取得手段で取得したドライバの年齢情報及び前記補正データ記録手段に記録されている補正データを用いて音圧を補正する音圧補正手段と、
前記音圧補正手段で補正後の音信号をスピーカに出力する出力手段とを備える
ことを特徴とする音圧補正システム。
【請求項２】
前記音圧補正手段は、音の周波数に対応させた各年代毎の補正量を、本来聞かせたい音圧に加算することにより音圧の補正を行い、
前記出力手段は、前記音圧補正手段で補正後の音信号をスピーカに出力する
ことを特徴とする請求項１記載の音圧補正システム。
【請求項３】
前記携帯機は、さらに、
前記年齢情報記録手段に記録され、初回登録時に登録されたドライバ情報を呼び出し、初回登録からの日数に基づいてドライバの年齢を更新するカウンタ部を備える
ことを特徴とする請求項１記載の音圧補正システム。
【請求項４】
前記携帯機は、カードキー、電子キー又は携帯電話機のいずれかである
ことを特徴とする請求項１から３いずれか１項に記載の音圧補正システム。
【請求項５】
ドライバが所持する携帯機と、車両に搭載され当該携帯機と無線通信を行い車両の機能を制御する携帯機用電子制御部と、車両に搭載されるオーディオ装置の音圧を補正する音圧補正装置とを備える音圧補正システムであって、
前記携帯機は、
少なくとも前記携帯機の識別番号を前記携帯機用電子制御部に送信する送信手段を備え、
前記携帯機用電子制御部は、
前記携帯機の識別番号に対応させてドライバの情報を記録するドライバ情報記録手段と、
前記送信手段から送信された前記携帯機の識別番号と、前記ドライバ情報記録手段に記録されたドライバ情報を用いて、ドライバの年齢を特定する年齢特定手段とを備え、
前記音圧補正装置は、
前記年齢特定手段で特定されたドライバの年齢を取得する年齢情報取得手段と、
ドライバの年齢に応じた音圧の補正データを記憶する補正データ記憶手段と、
前記年齢情報取得手段で取得したドライバの年齢情報及び前記補正データ記録手段に記録されている補正データを用いて音圧を補正する音圧補正手段と、
前記音圧補正手段で補正後の音信号をスピーカに出力する出力手段とを備える
ことを特徴とする音圧補正システム。
【請求項６】
前記音圧補正手段は、音の周波数に対応させた各年代毎の補正量を、本来聞かせたい音圧に加算することにより音圧の補正を行い、
前記出力手段は、前記音圧補正手段で補正後の音信号をスピーカに出力する
ことを特徴とする請求項５記載の音圧補正システム。
【請求項７】
前記携帯機用電子制御部は、さらに、
前記ドライバ情報記録手段に記録され、初回登録時に登録されたドライバ情報を呼び出し、初回登録からの日数に基づいてドライバの年齢を更新するカウンタ部を備える
ことを特徴とする請求項５記載の音圧補正システム。
【請求項８】
前記携帯機は、カードキー、電子キー又は携帯電話機のいずれかである
ことを特徴とする請求項５から７いずれか１項に記載の音圧補正システム。
【請求項９】
車両に搭載されるオーディオ装置の音圧を補正する音圧補正装置であって、
ドライバが所持する携帯機から送信される情報に基づいてドライバの年齢情報を取得する年齢情報取得手段と、
ドライバの年齢に応じた音圧の補正データを記憶する補正データ記憶手段と、
前記年齢情報取得手段で取得したドライバの年齢情報及び前記補正データ記録手段に記録されている補正データを用いて音圧を補正する音圧補正手段と、
前記音圧補正手段で補正後の音信号をスピーカに出力する出力手段とを備える
ことを特徴とする音圧補正装置。
【請求項１０】
前記音圧補正手段は、音の周波数に対応させた各年代毎の補正量を、本来聞かせたい音圧に加算することにより音圧の補正を行い、
前記出力手段は、前記音圧補正手段で補正後の音信号をスピーカに出力する
ことを特徴とする請求項９記載の音圧補正装置。
【請求項１１】
前記携帯機は、カードキー、電子キー又は携帯電話機のいずれかである
ことを特徴とする請求項９又は１０記載の音圧補正装置。
【請求項１２】
車両に搭載されるオーディオ装置の音圧を補正する音圧補正方法であって、
ドライバが所持する携帯機から送信される情報に基づいてドライバの年齢情報を取得する年齢情報取得ステップと、
ドライバの年齢に応じた音圧の補正データを記憶する補正データ記憶ステップと、
前記年齢情報取得ステップにおいて取得したドライバの年齢情報及び前記補正データ記録ステップにおいて記録されている補正データを用いて音圧を補正する音圧補正ステップと、
前記音圧補正ステップにおける補正後の音信号をスピーカに出力する出力ステップとを含む
ことを特徴とする音圧補正方法。
【発明の詳細な説明】
【技術分野】
【０００１】
本発明は、車両に搭載されるオーディオ装置の音圧を補正するための音圧補正システムに関する。
【背景技術】
【０００２】
従来より、車載されたオーディオ装置の音質の調整には様々な方法がある。
一般的な音質コントロール機能においては、ドライバがオーディオ装置の表示部であるオーディオ操作画面で音設定にタッチして、表示される音設定画面で、低音／中音／高音域の調整をドライバが直接入力することにより調整する。
【０００３】
そして、車載オーディオ機器においては音声信号の周波数特性を変更するためイコライザ（Equalizer）機能が搭載され、ドライバは、このイコライザを用いて調整することによって、特定の音域の音声信号を強調したり、逆に減少させたりする事ができる。また、ドライバは、イコライザにより全体的に音質を平均化させたり、音像を明確にするため使用することもできる。このように、従来においては、各ドライバが好みに応じてイコライザの音質設定モード等で周波数毎に音圧レベルを調整することが可能である。
【０００４】
ところで、年齢と乗員の疲労度とに応じて適切に、デジタル式メータに表示される文字や図形が見易くなるように変更され、スピーカから流れる関連情報が聞き易くなるように変更され、ハンドルが操作し易くなるように操作量が変更される乗員支援装置が開示されている（例えば、特許文献１参照）。
【０００５】
また、年齢情報検出部がカードキーに記憶されている個人データからドライバの年齢を検出し、情報提供用のＥＣＵ（Electronic Control Unit）は、一時停止交差点に進入する場合において、車速などから安全性を確認して、充分安全でないと判断した場合には、スピーカから警告音声を出力する。そして、このタイミングをドライバの年齢が高い場合に、交差点の遠目のタイミングで行う情報提供装置が開示されている（例えば、特許文献２参照）。
【先行技術文献】
【特許文献】
【０００６】
【特許文献１】特開２００４−１１０５４６号公報
【特許文献２】特開２００５−３３１２８２号公報
【発明の概要】
【発明が解決しようとする課題】
【０００７】
人の可聴域は通常２０Ｈｚから、１５ＫＨｚ乃至２０ＫＨｚ程度となるが、２０歳台をピークに年齢により一般的に可聴域が低下する。
【０００８】
図３（ａ）は、年齢と共に変化する可聴域を説明するグラフであり、横軸は周波数（Ｈｚ）、縦軸は音圧（ｄＢ）を示している。そして、本図の本来オーディオ装置からドライバに聞かしたい音圧カーブ３００、５０代の耳に聞こえる音圧カーブ３０１、６０代の耳に聞こえる音圧カーブ３０２、及び７０代の耳に聞こえる音圧カーブ３０３に示すように、一般的に年齢の増加と共に、本来聞こえるはずの音が聞こえなり、特に低周波数域では年齢による可聴域の差が顕著となる。
【０００９】
しかしながら、ドライバの加齢により低下していく可聴域に応じて、且つ上述のドライバ自身によるイコライザ調整等の手間を要せずにオーディオ装置の出力音圧を自動で調整する装置はないという問題がある。
【００１０】
また、１台の車両に複数のカードキーを作り複数人で共有する場合、例えば３０歳代の息子が乗車した後に６０歳代の父親がドライバとなった場合等においては、ステレオの音声が小さく感じられ、オーディオ音設定画面を用いて再度音質調整を行う必要があり、手間を要するという問題もある。
【００１１】
本発明は、以上の課題に鑑みてなされたものであり、ドライバの手間を要することなく、車載されるオーディオ装置の音圧を、ドライバの年齢に応じて適宜最適の条件に自動的に補正する音圧補正システム及び音圧補正装置を提供することを目的とする。
【課題を解決するための手段】
【００１２】
以上の課題を解決するために、本発明に係る音圧補正システムは、ドライバが所持する携帯機と、車両に搭載され当該携帯機と無線通信を行い車両の機能を制御する携帯機用電子制御部と、車両に搭載されるオーディオ装置の音圧を補正する音圧補正装置とを備える音圧補正システムであって、上記携帯機は、ドライバの年齢情報を記録する年齢情報記録手段と、少なくとも上記携帯機の識別番号及び上記年齢情報記録手段に記録された年齢情報を上記携帯機用電子制御部に送信する送信手段とを備え、上記音圧補正装置は、上記携帯機の上記送信手段から年齢情報を受信した上記携帯機用電子制御部からドライバの年齢情報を取得する年齢情報取得手段と、ドライバの年齢に応じた音圧の補正データを記憶する補正データ記憶手段と、上記年齢情報取得手段で取得したドライバの年齢情報及び上記補正データ記録手段に記録されている補正データを用いて音圧を補正する音圧補正手段と、上記音圧補正手段で補正後の音信号をスピーカに出力する出力手段とを備えることを特徴とする。
【００１３】
この構成により、本発明の音圧補正システムの上記携帯機は、ドライバの年齢情報を記録して送信手段を用いて上記携帯機用電子制御部に送信することができる。
また、上記音圧補正装置は、上記年齢情報取得手段においてドライバの年齢を取得して、上記音圧補正手段は、ドライバの年齢に合わせて音圧を補正できる。従って、本発明に係る音圧補正システムでは、ドライバの手間を要することなく、車載されるオーディオ装置の音圧を、ドライバの年齢に応じて適宜最適の条件に自動的に補正することが可能となる。
【００１４】
また、本発明に係る音圧補正システムにおいて上記音圧補正手段は、音の周波数に対応させた各年代毎の補正量を、本来聞かせたい音圧に加算することにより音圧の補正を行い、上記出力手段は、上記音圧補正手段で補正後の音信号をスピーカ側に出力することを特徴とする。
【００１５】
この構成により、上記音圧補正手段は、ドライバの年齢情報、及び年齢に対応した補正データを用いてドライバの年齢に最適の音圧に補正して音楽等を出力できるために、ドライバのオーディオ環境を快適にすることが可能となる。
【００１６】
また、本発明に係る音圧補正システムにおいて上記携帯機は、さらに、上記年齢情報記録手段に記録され、初回登録時に登録されたドライバ情報を呼び出し、初回登録からの日数に基づいてドライバの年齢を更新するカウンタ部を備えることを特徴とする。
【００１７】
この構成により、上記携帯機に備えられたカウンタ部は、上記年齢情報記録手段に記録されるドライバの年齢を更新でき、上記携帯機は、正確なドライバの年齢を上記音圧補正装置側に送信することが可能となる。
【００１８】
また、本発明に係る音圧補正システムにおいて上記携帯機は、カードキー、電子キー又は携帯電話機のいずれかであることを特徴とする。
【００１９】
この構成により、本発明に係る音圧補正システムを、上記携帯機としてカードキー等を用いて遠隔制御を行う機能を有する車両に適用することが可能となり、ドライバはカードキーを所有しているのみで音圧調整のための入力等の手間を要せずに、適宜年齢に応じたオーディオ環境を実現できる。
【００２０】
また、本発明に係る音圧補正システムは、ドライバが所持する携帯機と、車両に搭載され当該携帯機と無線通信を行い車両の機能を制御する携帯機用電子制御部と、車両に搭載されるオーディオ装置の音圧を補正する音圧補正装置とを備える音圧補正システムであって、前記携帯機は、少なくとも前記携帯機の識別番号を前記携帯機用電子制御部に送信する送信手段を備え、前記携帯機用電子制御部は、前記携帯機の識別番号に対応させてドライバの情報を記録するドライバ情報記録手段と、前記送信手段から送信された前記携帯機の識別番号と、前記ドライバ情報記録手段に記録されたドライバ情報を用いて、ドライバの年齢を特定する年齢特定手段とを備え、前記音圧補正装置は、前記年齢特定手段で特定されたドライバの年齢を取得する年齢情報取得手段と、ドライバの年齢に応じた音圧の補正データを記憶する補正データ記憶手段と、前記年齢情報取得手段で取得したドライバの年齢情報及び前記補正データ記録手段に記録されている補正データを用いて音圧を補正する音圧補正手段と、前記音圧補正手段で補正後の音信号をスピーカに出力する出力手段とを備えることを特徴とする。
【００２１】
この構成により、上記携帯機用電子制御部の上記年齢特定手段は、上記ドライバ情報記録手段に記録されたドライバ情報及び携帯機の識別番号を用いてドライバの年齢を特定できる。このため、携帯機がドライバ年齢情報を保持して上記携帯機用電子制御部に送信する必要がなく、携帯機にドライバ年齢を記憶するメモリを備える必要がなくなり、携帯機の構成を簡略化できる。
【００２２】
なお、本発明に係る音圧補正装置を構成する処理手段をステップとする音圧補正方法として実現したり、それらステップをコンピュータに実行させるプログラムとして実現したり、当該プログラムをＤＶＤ、ＣＤ−ＲＯＭ等の記録媒体や通信ネットワーク等の伝送媒体を介して流通させることができるのは言うまでもない。
【発明の効果】
【００２３】
本発明に係る音圧補正装置では、ドライバはカードキーを所有するのみで、自動的に車載されたオーディオ装置の音圧をドライバの年齢に応じた最適条件に補正できる。従って、本発明によれば、ドライバはカードキーを所有しているだけで、より快適な車載オーディオ環境を実現できる。
【図面の簡単な説明】
【００２４】
【図１】（ａ）実施の形態１に係る音圧補正システムの説明図                            （ｂ）実施の形態１に係る音圧補正システムの構成図
【図２】実施の形態１に係る音圧補正装置の機能ブロック図
【図３】（ａ）補正データ記憶部に記録される補正データを説明するためのグラフ          （ｂ）補正データ記憶部に記録される補正テーブルの一例を示す図
【図４】実施の形態１に係るカードキーの機能ブロック図
【図５】実施の形態１に係る補正システムの動作手順を示すフローチャート
【図６】実施の形態２に係るカードキーコンピュータの機能ブロック図
【図７】実施の形態２に係る音圧補正システムの動作手順を示すフローチャート
【発明を実施するための形態】
【００２５】
以下、本発明に係る音圧補正システムの実施の形態に関して図面を参照しながら説明を行う。
（実施の形態１）
【００２６】
図１（ａ）は、本実施の形態１に係る音圧補正システム１０の説明図である。
本図に示すように、車のドアの施錠／開錠やエンジン始動に関してカードキー１０１（請求の範囲の携帯機に対応）を用いた遠隔制御システムが使用されている。この遠隔制御システムでは、例えばアンテナを介してドライバ１００の持つ携帯機であるカードキー１０１と自動車に搭載されているＥＣＵであるカードキーコンピュータ１０２（請求の範囲の携帯機用電子制御部に対応）との間で通信を行い、カードキー１０１の識別番号等を用いて認証処理を行って、認証が成立すればドアの施錠／開錠を行う。
【００２７】
そして、本実施の形態１に係る音圧補正システム１０においては、認識処理時にカードキー１０１に記録されているドライバ１００の年齢情報が自動的にカードキーコンピュータ１０２に送信され（１１０）、この年齢情報がさらにオーディオ装置１０３に内蔵される音圧補正装置に入力され、年齢情報に基づいて音圧の補正を行うことが可能となる。
【００２８】
図１（ｂ）は、本実施の形態１に係る音圧補正システム１０の構成図を示し、この音圧補正システム１０は、カードキー１０１、カードキーコンピュータ１０２、車外用発信器１０２ａ、オーディオ装置１０３、オーディオ装置１０３に内蔵される音圧補正装置１０４、及びスピーカ１０５を備えている。
【００２９】
カードキー１０１は、ドライバの年齢情報や出生日の情報を保持し、カウンタにより年齢情報を自動で更新できる機能を有している。
【００３０】
カードキーコンピュータ１０２は、実行する機能に応じてカードキー１０１との識別番号の照合や、カードキー１０１の位置確認を行うために、信号を車内用発信器及び車外用発信器１０２ａから出力する。また、カードキーコンピュータ１０２は、この信号を受信したカードキー１０１からリクエスト（例えばドアの開錠／施錠）を含めた識別番号を受信すると識別番号の認証を行って実行するリクエスト機能に応じて各ＥＣＵに作動指令信号を出力する。さらに、カードキーコンピュータ１０２は、カードキー１０１から年齢情報を取得して、オーディオ装置１０３の音圧補正装置１０４に送信する機能を有する。
【００３１】
音圧補正装置１０４は、カードキーコンピュータ１０２から受信した年齢情報に応じて自動的にオーディオから出力される音楽等の音圧を補正して、スピーカ１０５に補正後の音声信号を出力する。なお、本実施の形態１の説明において、音圧とは、音量等の音の大気圧の圧力変動を意味する。
スピーカ１０５は、オーディオ装置１０３から送信される音声信号を用いて音声を実際に出力する。
【００３２】
図２は、本実施の形態１に係る音圧補正装置１０４の機能ブロック図である。
音圧補正装置１０４は、年齢情報受信部２０１、音圧補正部２０２、補正データ記憶部２０３、及び出力部２０４を備えるものである。
【００３３】
年齢情報受信部２０１は、カードキーコンピュータ１０２からドライバの年齢情報を取得する。
【００３４】
音圧補正部２０２は、例えば、音声のアナログ信号の増幅を行い、A/D変換処理を行ってデジタル信号化した後、補正データ記憶部２０３に記録されている各周波数に対する補正値を参照して、補正量を加算する等により音圧の補正演算を行う。なお、具体的な演算方法は下記の図５において説明する。
【００３５】
補正データ記憶部２０３は、音圧補正部２０２の音圧補正時に用いる補正データを記録するフラッシュメモリやＥＥＰＲＯＭ等のメモリ部である。
図３（ａ）は、補正データ記憶部２０３に記録されている補正データを説明するグラフであり、５０代の耳に聞こえる音圧カーブ３０１、６０代の耳に聞こえる音圧カーブ３０２、７０代の耳に聞こえる音圧カーブ３０３に対して、各年代毎に本来聞かしたい音圧カーブ３００となるように、５０代に対して補正された音圧カーブ３０４、６０代に対して補正された音圧カーブ３０５、７０代に対して補正された音圧カーブ３０６が記憶されている。
【００３６】
また、補正データ記憶部２０３は、例えば、図３（ｂ）に示すような、各年代毎に周波数と補正音圧との関係が記述された補正テーブル３１０を記録することも可能である。そして、音圧補正部２０２は、この補正テーブル３１０を参照して、例えばドライバが６０代と特定され、出力音が周波数１ＫＨｚの場合には２ｄＢ分の音圧を補正値として加算する等の処理を行う。
なお、図３に示す補正データ記憶部２０３に記録される補正データは一例であり、本発明の内容がこれに限定されるものではない。
【００３７】
出力部２０４は、音圧補正部２０２から音圧補正後の信号を受けてアンプを用いて出力する音声信号をスピーカ側に出力する。
【００３８】
図４は、本実施の形態１に係るカードキー１０１の機能ブロック図を示す。
【００３９】
カードキー１０１は、電波送信部４０１、暗号化処理部４０２、電波受信部４０３、及び年齢情報記憶部４０４を備えている。
電波送信部４０１は、カードキーコンピュータ１０２側に電波を送信することにより、カードキー１０１の識別番号、ドアの開錠等のリクエスト信号、及びカードキー１０１の年齢情報記憶部４０４が記憶しているドライバの年齢情報を送信する。
【００４０】
暗号化処理部４０２は、送信信号を暗号化すると共に、暗号化された受信信号を復号化する処理を行う。なお、暗号化処理部４０２における送受信信号の暗号化は、例えば鍵の識別番号と乱数を用いるチャレンジ／レスポンス方式にて行う。
電波受信部４０３は、カードキーコンピュータ１０２側から送信される信号を受信する。
【００４１】
年齢情報記憶部４０４は、フラッシュメモリ等のメモリ部であり、カードキー所有者となるドライバの年齢や出生日に関連する情報が例えば初期登録時に記憶されている。また、カードキー１０１に設けられたカウンタにより年齢情報記憶部４０４に記憶されている年齢情報は自動的に更新される。
【００４２】
図５は、本実施の形態１に係る音圧補正システム１０の動作手順を示すフローチャートである。
最初に、ドライバ１００がカードキー１０１を持って、ドアノブ等に触れると、検知エリアにおいてカードキー１０１が検知され、カードキーコンピュータ１０２は、カードキー１０１との間で識別番号を用いて照合を行う。そして、照合が成立すれば（ステップＳ５０１でＹＥＳ）、カードキーコンピュータ１０２はカードキー１０１からのリクエスト（例えばドアの開錠／施錠）を実行するようにＥＣＵ制御して、ドライバは車両に乗り込むことができる。
【００４３】
そして、この認証処理の後において、カードキーコンピュータ１０２は、カードキー１０１に記録された年齢情報を取得して（ステップＳ５０２）、カードキーコンピュータ１０２から音圧補正装置１０４に年齢情報が送信される（ステップＳ５０３）。
また、音圧補正装置１０４の音圧補正部２０２は、取得したドライバの年齢から低下した分だけの音圧レベルを、補正データ記憶部２０３に記憶されている補正データを参照して各周波数で補正値ｆとして算出する（ステップＳ５０４）。
【００４４】
次に、音圧補正部２０２は、図３に示すように、下記の式（１）に示す式で本来聞かせたい音圧カーブ３００（Ｆ０）に補正値であるｆの値を加算して、補正音圧カーブ３０４〜３０６（Ｆ１）を算出する（ステップＳ５０５）。
Ｆ１＝Ｆ０＋ｆ  ・・・（１）
最後に、音圧補正装置１０４の出力部２０４は、スピーカ側への上記式（１）を用いて補正した音声信号をスピーカ側に出力して音を吹き鳴らさせる（ステップＳ５０６）。
【００４５】
以上の説明のように、本実施の形態１に係る音圧補正システム１０において、音圧補正装置１０４は、カードキー１０１に記録されているドライバの年齢情報を、カードキーコンピュータ１０２を介して取得して、音圧補正部２０２は年齢情報及び補正データに基づいて音圧補正を行う。このために、本実施の形態１に係る音圧補正システム１０では、年齢を重ねるにつれ低下する可聴力を補って、ドライバの年齢情報に合わせて本来聞かせたい音圧に補正が可能となり、ドライバはカードキー１０１を所有しているのみで、ドライブ時に、より快適なオーディオ環境が実現できる。
【００４６】
なお、本実施の形態１の説明において、カードキー１０１から年齢情報が送信されるものとして説明を行ったが、年齢情報を送信するのはカードキーに限定されるものではなく、携帯電話機や電子キー等その他の通信機能を有する端末でも構わない。
【００４７】
（実施の形態２）
以下、本発明に係る音圧補正システムの第二の実施の形態に関して図面を参照しながら説明を行う。なお、本実施の形態２に係る音圧補正システムを構成する装置において、上記実施の形態１と同様の構成には同様の参照符号を付してその詳細な説明は省略する。
また、本実施の形態２に係る音圧補正システムにおいては、カードキーから送信されてくる識別番号に基づいて、車両に備わるカードキーコンピュータ側でドライバの年齢を特定することを特徴とする。また、上記実施の形態１に示すカードキーコンピュータ１０２に代えてカードキーコンピュータ６００が設けられ、カードキー１０１に代えてカードキー６１０が設けられている。
【００４８】
図６は、本実施の形態２に係る音圧補正システム６０のカードキーコンピュータ６００の機能ブロック図である。
【００４９】
カードキーコンピュータ６００は、送受信部６０１、暗号化処理部６０２、年齢特定部６０３、及びドライバ情報記録部６０４を備えている。
【００５０】
送受信部６０１は、カードキー６１０との送受信をおこなうと共に、オーディオ装置１０３の音圧補正装置１０４にドライバ情報特定手段で特定されたドライバの年齢を送信する。
暗号化処理部６０２は、送信信号を暗号化すると共に、暗号化された受信信号を復号化する処理を行う。
【００５１】
年齢特定部６０３は、送受信部６０１で取得したカードキーの識別番号に基づいて、ドライバ情報記録部６０４に記録されているドライバ情報を参照してドライバの年齢を特定する。
【００５２】
ドライバ情報記録部６０４は、カードキーの識別番号に対応させてドライバの年齢や出生日に関連する情報を保持する。なお、ドライバの誕生日等の情報は、例えば初回使用時において登録される。
【００５３】
図７は、本実施の形態２に係る音圧補正システム６０の動作手順を示すフローチャートである。
【００５４】
最初に、ドライバがカードキー６１０を持って、ドアノブ等に触れると、検知エリアにおいてカードキー６１０が検知され、カードキー６１０とカードキーコンピュータ６００との間で識別番号を用いて照合を行う。そして、照合が成立すれば（ステップＳ７０１でＹＥＳ）、カードキーコンピュータ６００は、カードキー６１０からのリクエストを実行するようにＥＣＵ制御して、ドライバは車両に乗り込むことができる。
【００５５】
そして、この認証処理の後において、カードキーコンピュータ６００の年齢特定部６０３は、送受信部６０１で受信したカードキーの識別番号を用いて、初回登録時に登録されたドライバ情報（年齢の情報を含む）を呼び出し、初回登録からの日数を元にドライバの年齢をカウンタで更新することでドライバの実年齢を特定する（ステップＳ７０２）。
【００５６】
以下の処理は上述した図５に示すステップＳ５０３以下と同様であり、まずカードキーコンピュータ６００から音圧補正装置１０４に年齢情報が送信され（ステップＳ７０３）、音圧補正装置１０４の音圧補正部は、取得したドライバの年齢から低下した分だけの音圧レベルを補正データ記憶部に記録されている補正データを参照して各周波数での補正値を算出する（ステップＳ７０４）。
【００５７】
次に、音圧補正部は、図３（ａ）に示すように、上記の式（１）に示す式で本来聞かせたい音圧カーブ３００（Ｆ０）に補正値であるｆの値を加算して、補正音圧カーブ３０４〜３０６（Ｆ１）を算出する（ステップＳ７０５）。
最後に、音圧補正装置１０４の出力部は、スピーカ側への上記式（１）を用いて補正した音声信号をスピーカに出力して音を吹き鳴らさせる（ステップＳ７０６）。
【００５８】
以上の説明のように、本実施の形態２に係る音圧補正システム６０においては、車載されているカードキーコンピュータ６００のドライバ情報記録部６０４にカードキー６１０の識別番号に基づく個人情報を記録しておき、カードキー６１０から識別番号を受信したカードキーコンピュータ６００の年齢特定部６０３においてドライバの年齢を特定して音圧補正装置に送信する。
【００５９】
従って、カードキー６１０において年齢情報等の個人情報を保持するメモリが不要となり、カードキー６１０の機能構成を簡略化できる。また、家族等での複数のカードキーを用いて１台の車両を共有している場合など、カードキー毎に付与されている識別番号を用いてオーディオ装置の音圧補正が行えるために、ドライバが変わる毎にステレオの音圧調整を行う手間を省くことができる。
【産業上の利用可能性】
【００６０】
本発明に係る音圧補正システムは、例えばカードキーを用いて遠隔制御を行う機能を有する車両等に用いることができる。
【符号の説明】
【００６１】
１０，６０  音圧補正システム
１００  ドライバ
１０１，６１０  カードキー
１０２，６００  カードキーコンピュータ
１０３  オーディオ装置
１０４  音圧補正装置
１０５  スピーカ
２０１  年齢情報受信部
２０２  音圧補正部
２０３  補正データ記憶部
２０４  出力部
４０１  電波送信部
４０２  暗号化処理部
４０３  電波受信部
４０４  年齢情報記憶部
６０１  送受信部
６０２  暗号化処理部
６０３  年齢特定部
６０４  ドライバ情報記録部
【図１】
2010202086.tif 000003
【図２】
2010202086.tif 000004
【図３】
2010202086.tif 000005
【図４】
2010202086.tif 000006
【図５】
2010202086.tif 000007
【図６】
2010202086.tif 000008
【図７】
2010202086.tif 000009